【手続補正書】
【提出日】平成16年3月29日(2004.3.29)
【手続補正１】
【補正対象書類名】明細書
【補正対象項目名】特許請求の範囲
【補正方法】変更
【補正の内容】
【特許請求の範囲】
【請求項１】
紙幣入金口に投入された紙幣を１枚ずつ繰込んで識別し、種類別に分類して一時保留するとともに、一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、所定枚数の紙幣に帯体を巻回して小束を作成する小束作成手段と、前記複数の金種別スタッカから選択的に紙幣を一括して取出し、前記小束作成手段へ搬送する一括搬送手段と、前記小束作成手段により作成された小束の小束収納部または回収部の少なくとも一方と、前記小束作成手段により作成された小束を前記小束収納部または前記回収部へ搬送する小束搬送手段と、前記金種別一時保留部および金種別スタッカの各在高を計数記憶する在高記憶手段と、同一金種の金種別一時保留部および金種別スタッカの在高の合計が小束作成単位枚数に達したときは紙幣の繰込みを一旦中断して当該金種の一時保留部の紙幣を金種別スタッカへ収納させたのちに紙幣の繰込みを続行させるとともに、一括搬送手段、小束作成手段、小束搬送手段を作動させて当該金種紙幣の小束を作成する制御を行う制御部とを具有することを特徴とする紙幣処理装置。
【請求項２】
紙幣入金口に投入された紙幣を１枚ずつ繰込んで識別し、種類別に分類して一時保留するとともに、操作者の入金承認に基づいて一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、所定枚数の紙幣に帯体を巻回して小束を作成する小束作成手段と、この小束作成手段により作成された小束を種類別に収納する複数の小束収納部と、前記複数の金種別スタッカから選択的に紙幣を一括して取出し、前記小束作成手段へ搬送する一括搬送手段と、前記小束作成手段により作成された小束を前記複数の小束収納部へ振り分け搬送する小束搬送手段と、前記金種別一時保留部および金種別スタッカの各在高を計数記憶する在高記憶手段と、同一金種の金種別一時保留部および金種別スタッカの在高の合計が小束作成単位枚数以下のときは操作者の入金承認がある毎に各一時保留部の紙幣を各金種別スタッカに収納させ、その合計が小束作成単位枚数に達したときは紙幣の繰込みを一旦中断して操作者に当該金種紙幣の途中収納の承認を促し、承認されたときは当該金種紙幣のスタッカへ収納させたのちに紙幣の繰込みを続行させるとともに、一括搬送手段、小束作成手段、小束搬送手段を作動させて当該金種紙幣の小束を作成し、該当する小束収納部へ収納させる入金制御を行う制御部とを具有することを特徴とする紙幣処理装置。
【請求項３】
紙幣入金口に投入された紙幣を１枚ずつ繰込んで識別し、種類別に分類して一時保留するとともに、操作者の入金承認に基づいて一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、入金紙幣中、再使用に不適な損券紙幣を一時保留する損券一時保留部と、一時保留された損券紙幣を収納するとともに１枚ずつの繰出し機能を有する損券収納繰出し部と、この損券収納繰出し部から繰出された損券紙幣を入金紙幣の搬送路へ合流させる損券搬送路と、所定枚数の紙幣に帯体を巻回して小束を作成する小束作成手段と、この小束作成手段により作成された小束の回収部と、前記複数の金種別スタッカから選択的に紙幣を一括して取出し、前記小束作成手段へ搬送する一括搬送手段と、前記小束作成手段により作成された小束を前記回収部へ搬送する小束搬送手段と、前記複数の金種別スタッカの紙幣がすべて回収されたのちの損券紙幣の回収処理につき前記損券収納繰出し部から損券紙幣を繰出し前記損券搬送路を経由して前記金種別一時保留部に分類集積させ、小束作成単位枚数が集積される毎にその集積紙幣を金種別スタッカへ収納させるとともに、一括搬送手段、小束作成手段、小束搬送手段を作動させて当該金種の損券紙幣の小束を作成し、前記回収部へ回収する回収制御を行う制御部とを具有することを特徴とする紙幣処理装置。
【手続補正２】
【補正対象書類名】明細書
【補正対象項目名】００１１
【補正方法】変更
【補正の内容】
【００１１】
上記課題を解決するための手段として本発明は、紙幣入金口に投入された紙幣を１枚ずつ繰込んで識別し、種類別に分類して一時保留するとともに、一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、所定枚数の紙幣に帯体を巻回して小束を作成する小束作成手段と、前記複数の金種別スタッカから選択的に紙幣を一括して取出し、前記小束作成手段へ搬送する一括搬送手段と、前記小束作成手段により作成された小束の小束収納部または回収部の少なくとも一方と、前記小束作成手段により作成された小束を前記小束収納部または前記回収部へ搬送する小束搬送手段と、前記金種別一時保留部および金種別スタッカの各在高を計数記憶する在高記憶手段と、同一金種の金種別一時保留部および金種別スタッカの在高の合計が小束作成単位枚数に達したときは紙幣の繰込みを一旦中断して当該金種の一時保留部の紙幣を金種別スタッカへ収納させたのちに紙幣の繰込みを続行させるとともに、一括搬送手段、小束作成手段、小束搬送手段を作動させて当該金種紙幣の小束を作成する制御を行う制御部とを具有せしめたことにある。
また、上記課題を解決するための手段として本発明は、紙幣入金口に投入された紙幣を１枚ずつ繰込んで識別し、種類別に分類して一時保留するとともに、操作者の入金承認に基づいて一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、所定枚数の紙幣に帯体を巻回して小束を作成する小束作成手段と、この小束作成手段により作成された小束を種類別に収納する複数の小束収納部と、前記複数の金種別スタッカから選択的に紙幣を一括して取出し、前記小束作成手段へ搬送する一括搬送手段と、前記小束作成手段により作成された小束を前記複数の小束収納部へ振り分け搬送する小束搬送手段と、前記金種別一時保留部および金種別スタッカの各在高を計数記憶する在高記憶手段と、同一金種の金種別一時保留部および金種別スタッカの在高の合計が小束作成単位枚数以下のときは操作者の入金承認がある毎に各一時保留部の紙幣を各金種別スタッカに収納させ、その合計が小束作成単位枚数に達したときは紙幣の繰込みを一旦中断して操作者に当該金種紙幣の途中収納の承認を促し、承認されたときは当該金種紙幣のスタッカへ収納させたのちに紙幣の繰込みを続行させるとともに、一括搬送手段、小束作成手段、小束搬送手段を作動させて当該金種紙幣の小束を作成し、該当する小束収納部へ収納させる入金制御を行う制御部とを具有せしめたことにある。


【手続補正３】
【補正対象書類名】明細書
【補正対象項目名】００１２
【補正方法】変更
【補正の内容】
【００１２】
また前記の金種別一時保留部および金種別スタッカを持ち、入金紙幣中、再使用に不適な損券紙幣を一時保留する損券一時保留部と、一時保留された損券紙幣を収納するとともに１枚ずつの繰出し機能を有する損券収納繰出し部と、この損券収納繰出し部から繰出された損券紙幣を入金紙幣の搬送路へ合流させる損券搬送路と、所定枚数の紙幣に帯体を巻回して小束を作成する小束作成手段と、この小束作成手段により作成された小束の回収部と、前記複数の金種別スタッカから選択的に紙幣を一括して取出し、前記小束作成手段へ搬送する一括搬送手段と、前記小束作成手段により作成された小束を前記回収部へ搬送する小束搬送手段と、前記複数の金種別スタッカの紙幣がすべて回収されたのちの損券紙幣の回収処理につき前記損券収納繰出し部から損券紙幣を繰出し前記損券搬送路を経由して前記金種別一時保留部に分類集積させ、小束作成単位枚数が集積される毎にその集積紙幣を金種別スタッカへ収納させるとともに、一括搬送手段、小束作成手段、小束搬送手段を作動させて当該金種の損券紙幣の小束を作成し、前記回収部へ回収する回収制御を行う制御部とを具有せしめたことを請求項３とするものである。


【手続補正４】
【補正対象書類名】明細書
【補正対象項目名】００４２
【補正方法】変更
【補正の内容】
【００４２】
また請求項３に記載の発明によれば、入金処理時に正券とは区別した損券を回収するとき人手を触れることなく金種別に区分し、かつ正常紙幣と同様に小束状態に結束して回収することができる。